(57)【要約】【課題】インバータトランスの一次巻線側でランプ電流を判定してランプの輝度調整を行えるランプ点灯装置を提供する。【解決手段】インバータトランス210Aの一次巻線211への直流電流の通電方向を駆動制御回路121によってスイッチング駆動される４つのＦＥＴ111〜114により所定周期で反転させて直流を交流に変換してランプ131,132を点灯するインバータ回路を備え、インバータトランス210Aの一次巻線211に対してトランス117の一次巻線117aを直列接続し、トランス117の二次巻線117bに流れる電流値に基づいて一次巻線211に流れる電流値を検出し、この検出された電流値により駆動制御回路121はインバータトランス210Aの二次巻線212,213に流れる電流の値を判定してランプ電流を制御する。【選択図】図１
2007280796.tif 000002
【特許請求の範囲】
【請求項１】
インバータトランスとスイッチング回路により直流電源電圧を交流電圧に変換してランプを点灯するインバータ回路を備えたランプ点灯装置において、
前記インバータトランスの一次巻線に流れる電流の値を検出する電流検出回路と、
前記電流検出回路で検出された電流値に基づいてランプ電流を制御する制御回路とを備えている
ことを特徴とするランプ点灯装置。
【請求項２】
前記電流検出回路は、一次巻線が前記インバータトランスの一次巻線に直列に接続された電流検出トランスの二次巻線に流れる電流に基づいて前記インバータトランスの一次巻線に流れる電流の値を検出する
ことを特徴とする請求項１に記載のランプ点灯装置。
【請求項３】
インバータトランスとスイッチング回路により直流電源電圧を交流電圧に変換してランプを点灯するインバータ回路を備えたランプ点灯装置において、
前記インバータトランスの一次巻線に印加される電圧の値を検出する電圧検出回路と、
前記電圧検出回路で検出された電圧の値に基づいてランプ電流を制御する制御回路とを備えている
ことを特徴とするランプ点灯装置。
【請求項４】
前記インバータトランスは一次巻線と結合する三次巻線を有し、
前記電圧検出回路は、前記インバータトランスの三次巻線に発生する電圧に基づいて前記インバータトランスの一次巻線に印加される電圧の値を検出する
ことを特徴とする請求項３に記載のランプ点灯装置。
【発明の詳細な説明】
【技術分野】
【０００１】
本発明は、インバータ回路を備えたランプ点灯装置に関し、特にランプ電流制御に係る回路を改良したランプ点灯装置に関するものである。
【背景技術】
【０００２】
従来、薄型テレビやパーソナルコンピュータ用の薄型モニタに使用されているバックライト用のランプ点灯装置では、輝度調整を行うために、例えば、図１４或いは図１５に示すようにインバータトランスの二次巻線を流れるランプ電流を抵抗器を用いて電圧として検出し、これをスイッチング制御回路にフィードバックして輝度調整を行っている。
【０００３】
図１４に示す第１従来例の回路において、500はランプ点灯装置で、４つの電解効果トランジスタ（以下、ＦＥＴと称する）511〜514と、コンデンサ515、トランス516、抵抗器517a,517b、ダイオード518a,518b、駆動制御回路519、ランプ520とから構成されている。ランプ520としては、例えば、冷陰極管（Cold Cathode Fluorescent Lamp-CCFL）が用いられる。
【０００４】
ＦＥＴ511のドレインは入力端子501とＦＥＴ513のドレインに接続され、ＦＥＴ511のソースはＦＥＴ512のドレインに接続されると共にコンデンサ515を介してトランス516の一次巻線の一端に接続され、ＦＥＴ512のソースは接地端子502に接続されている。
【０００５】
また、ＦＥＴ513のドレインは入力端子501に接続され、ＦＥＴ513のソースはＦＥＴ514のドレインに接続されると共にトランス516の一次巻線の他端に接続されている。トランス516の第１二次巻線の一端はランプ520の一端に接続され、第１二次巻線の他端はダイオード518aのアノードに接続されると共に抵抗器517aを介して接地端子502に接続されている。更に、トランス516の第２二次巻線の一端はランプ520の他端に接続され、第２二次巻線の他端はダイオード518bのアノードに接続されると共に抵抗器517bを介して接地端子502に接続されている。２つのダイオード518a,518bのカソードは共に駆動制御回路519に接続されている。
【０００６】
また、駆動制御回路519は各ＦＥＴ511〜514のゲートに対して制御信号を出力して各ＦＥＴ511〜514をスイッチング動作させてトランス516の一次巻線の通電方向を所定周期で反転させ、トランス516の二次巻線に高電圧の交流電圧を発生させる。さらに、駆動制御回路519には２つのダイオード518a,518bのカソードから出力される電圧を加算した電圧信号が入力されている。この電圧信号は第１及び第２二次巻線を流れるランプ電流に比例して変化するものであり、駆動制御回路519はこの電圧信号に基づいて各ＦＥＴ511〜514の動作を制御してトランス516の二次巻線から発生する電力すなわちランプ電流を制御する。これにより、ランプ520の輝度調整が行われる。
【０００７】
また、図１５に示す第２従来例の回路において、前述した従来例と同一構成部分は同一符号をもって表しその説明を省略する。図１５に示す600はランプ点灯装置では、トランス516の第１及び第２二次巻線のそれぞれにランプ521,522を接続している。すなわち、トランス516の第１二次巻線の一端にはランプ521の一端が接続され、第１二次巻線の他端は抵抗器611を介してランプ521の他端に接続されている。さらに抵抗器611に対して並列に検出回路621が接続され、この検出回路621によって抵抗器611の両端間の電圧が検出され、この電圧が駆動制御回路519に入力される。
【０００８】
また、トランス516の第２二次巻線の一端にはランプ522の一端が接続され、第２二次巻線の他端は抵抗器612を介してランプ522の他端に接続されている。さらに抵抗器612に対して並列に検出回路622が接続され、この検出回路622によって抵抗器612の両端間の電圧が検出され、この電圧が駆動制御回路519に入力される。
【０００９】
駆動制御回路519は各ＦＥＴ511〜514のゲートに対して制御信号を出力して各ＦＥＴ511〜514をスイッチング動作させてトランス516の一次巻線の通電方向を所定周期で反転させ、トランス516の二次巻線に高電圧の交流電圧を発生させる。さらに、駆動制御回路519は２つの検出回路621,622から出力される電圧に基づいてランプ521,522の輝度を調整する。すなわち、これらの検出回路621,622から出力される電圧は第１及び第２二次巻線を流れるランプ電流に比例して変化するものであり、駆動制御回路519はこの電圧に基づいて各ＦＥＴ511〜514の動作を制御してトランス516の二次巻線から発生する電力すなわちランプ電流を制御する。これにより、ランプ521,522の輝度調整が行われる。
【００１０】
上記のような方法によってランプ電流を検出している例としては、例えば、特開平０５−２７６７５８号公報に開示されるものが知られている。
【００１１】
また、二次巻線とランプとの間に直列にトランスを設け、このトランスによってランプ電流を検出する方法が特開平１１−１１１４７５号公報に開示されている。
【特許文献１】特開平０５−２７６７５８号公報
【特許文献２】特開平１１−１１１４７５号公報
【発明の開示】
【発明が解決しようとする課題】
【００１２】
しかしながら、図１４に示す第１従来例の回路場合、１個のトランスで１本のランプしか駆動できないので、２本以上の多灯駆動の場合、コスト高になってしまう。そこで、図１５に示す第２従来例のようにすれば、１個のトランスで２本のランプを駆動することができ、コストの低減を図ることができる。
【００１３】
しかし、第２従来例のランプ点灯装置のように、１個のトランスで２本のランプを点灯させる回路構成の場合、電流検出を行う経路が閉ループとなるため、この電流を検出するには、電流検出回路の構成が複雑になってしまい、検出回路用の電源なども必要となると共に、電流検出部分の電位が数百Ｖ〜数千Ｖと非常に高いため、耐圧の高い部品が必要になりコスト高になってしまう。
【００１４】
本発明は前記問題点に鑑みてなされたものであり、その目的とするところは、インバータトランスの一次巻線側でランプ電流を判定してランプの輝度調整を行えるランプ点灯装置を提供することにある。
【課題を解決するための手段】
【００１５】
本発明は前記目的を達成するために、インバータトランスとスイッチング回路により直流電源電圧を交流電圧に変換してランプを点灯するインバータ回路を備えたランプ点灯装置において、前記インバータトランスの一次巻線に流れる電流の値を検出する電流検出回路と、前記電流検出回路で検出された電流値に基づいてランプ電流を制御する制御回路とを備えているランプ点灯装置を提案する。
【００１６】
本発明のランプ点灯装置は、インバータトランスの一次巻線に流れる電流の値に基づいてランプ電流を制御するので、簡易な回路を用いることができると共に高価な高耐圧の部品を使用する必要がないため、コストの低減を図ることができる。
【００１７】
また、本発明は前記目的を達成するために、インバータトランスとスイッチング回路により直流電源電圧を交流電圧に変換してランプを点灯するインバータ回路を備えたランプ点灯装置において、前記インバータトランスの一次巻線に印加される電圧の値を検出する電圧検出回路と、前記電圧検出回路で検出された電圧の値に基づいてランプ電流を制御する制御回路とを備えているランプ点灯装置を提案する。
【００１８】
本発明のランプ点灯装置は、インバータトランスの一次巻線に印加される電圧の値に基づいてランプ電流を制御するので、簡易な回路を用いることができると共に高価な高耐圧の部品を使用する必要がないため、コストの低減を図ることができる。
【発明の効果】
【００１９】
本発明のランプ点灯装置によれば、簡易な回路を用いることができると共に、高価な高耐圧の部品を使用する必要がないため、コストの低減を図ることができる。
【発明を実施するための最良の形態】
【００２０】
図１乃至図４は本発明の第１実施形態における４つの実施例のランプ点灯装置を示す回路図であり、第１実施形態においてはインバータトランスの一次巻線側に一次巻線に流れる電流を検出するためのトランスを設け、インバータトランスの一次巻線に流れる電流の値に基づいて二次巻線に流れる電流の値すなわちランプ電流の値を判定してランプの輝度を調整するようにしたものである。
【実施例１】
【００２１】
図１は実施例１のランプ点灯装置を示す回路図である。図において、100Aはランプ点灯装置で、４つの電解効果トランジスタ（以下、ＦＥＴと称する）111〜114と、コンデンサ115、インバータトランス210A、電流検出用のトランス117、抵抗器118、ダイオードブリッジからなる全波整流回路119、駆動制御回路121、ランプ131,132とから構成され、フルブリッジのインバータ回路を備えている。ランプ131,132としては、例えば、冷陰極管（Cold Cathode Fluorescent Lamp-CCFL）が用いられる。
【００２２】
ＦＥＴ111のドレインは入力端子101とＦＥＴ113のドレインに接続され、ＦＥＴ111のソースはＦＥＴ112のドレインに接続されると共にコンデンサ115を介してトランス116の一次巻線の一端に接続され、ＦＥＴ112のソースは接地端子102に接続されている。
【００２３】
また、ＦＥＴ113のドレインは入力端子101に接続され、ＦＥＴ113のソースはＦＥＴ114のドレインに接続されると共にトランス117の一次巻線117aの他端に接続されている。トランス117の一次巻線117aの一端はインバータトランス210Aの一次巻線211の他端に接続されている。
【００２４】
トランス117の二次巻線117bの両端間には抵抗器118が並列に接続され、トランス117の二次巻線117b両端は全波整流回路119の入力端に接続されている。また、全波整流回路119から出力される整流された電圧は駆動制御回路121に入力されている。
【００２５】
インバータトランス210Aの第１二次巻線212の両端間にはランプ131が接続され、第２二次巻線213の両端間にはランプ132が接続されている。
【００２６】
また、入力端子101と接地端子102との間には直流電圧Ｖinが印加され、駆動制御回路121は各ＦＥＴ111〜114のゲートに対して制御信号を出力して各ＦＥＴ111〜114をスイッチング動作させてインバータトランス210Aの一次巻線211の通電方向を所定周期で反転させ、インバータトランス210Aの二次巻線212,213に高電圧の交流電圧を発生させる。さらに、駆動制御回路121には全波整流回路119からから出力される電圧が入力されている。この電圧は一次巻線211を流れる電流に比例して変化するものであり、また、ランプ131,132に流れるランプ電流すなわち第１及び第２二次巻線212,213に流れる電流は一次巻線211に流れる電流に対応して変化するので、駆動制御回路121は全波整流回路119から出力される電圧に基づいて各ＦＥＴ111〜114の動作を制御してトランス210Aの二次巻線212,213から発生する電力すなわちランプ電流を制御する。これにより、ランプ131,132の輝度調整が行われる。
【００２７】
上記の実施例１におけるランプ点灯装置100Aは、インバータトランス210Aの一次巻線211に流れる電流をトランス117及び抵抗器118によって電圧に変換し、この電圧の値によって一次巻線211に流れる電流値を検出し、この電流値によりインバータトランス210Aの二次巻線212,213に流れる電流の値を判定してランプ電流を制御するので、簡易な回路を用いることができると共に高価な高耐圧の部品を使用する必要がないため、コストの低減を図ることができる。
【実施例２】
【００２８】
図２は実施例２のランプ点灯装置を示す回路図である。図において、前述した実施例１と同一構成部分は同一符号をもって表しその説明を省略する。また、実施例２と実施例１との相違点は、実施例２では実施例１における全波整流回路119に代えてダイオード122を用いた半波整流回路としたことである。すなわち、実施例２のランプ点灯装置100Bにおいては、トランス117の二次巻線117bの両端間には抵抗器118が並列に接続され、トランス117の二次巻線117bの他端が接地端子102に接続され、一端はダイオード122のアノードに接続され、ダイオード122のカソードから出力される半波整流された電圧が駆動制御回路121に入力されている。
【００２９】
ダイオード122のカソードから駆動制御回路121に入力される電圧は一次巻線211を流れる電流に比例して変化するものであり、また、ランプ131,132に流れるランプ電流すなわち第１及び第２二次巻線212,213に流れる電流は一次巻線211に流れる電流に対応して変化するので、駆動制御回路121はダイオード122のカソードから出力される電圧に基づいて各ＦＥＴ111〜114の動作を制御してトランス210Aの二次巻線212,213から発生する電力すなわちランプ電流を制御する。これにより、ランプ131,132の輝度調整が行われる。
【００３０】
上記の実施例２におけるランプ点灯装置100Bは、インバータトランス210Aの一次巻線211に流れる電流をトランス117及び抵抗器118によって電圧に変換し、この電圧の値によって一次巻線211に流れる電流値を検出し、この電流値によりインバータトランス210Aの二次巻線212,213に流れる電流の値を判定してランプ電流を制御するので、簡易な回路を用いることができると共に高価な高耐圧の部品を使用する必要がないため、コストの低減を図ることができる。
【実施例３】
【００３１】
図３は実施例３のランプ点灯装置を示す回路図である。図において、100Cはランプ点灯装置で、２つのＦＥＴ201,202と、インバータトランス220A、電流検出用のトランス204、ダイオードブリッジからなる全波整流回路205、駆動制御回路206、ランプ131,132とから構成され、プッシュプルのインバータ回路を備えている。ランプ131,132としては、例えば、冷陰極管（Cold Cathode Fluorescent Lamp-CCFL）が用いられる。
【００３２】
また、本実施例で使用するインバータトランス220Aは一次巻線に中間タップ221cを有し一端側一次巻線221aと他端側一次巻線221bに等分されている。
【００３３】
ＦＥＴ201のドレインはインバータトランス220Aの一次巻線の一端に接続され、ＦＥＴ201のソースは接地端子102に接続されている。
【００３４】
ＦＥＴ202のドレインはインバータトランス220Aの一次巻線の他端に接続され、ソースは接地端子102に接続されている。
【００３５】
また、トランス204の一次巻線204aの一端は入力端子101に接続され、一次巻線204aの他端はインバータトランス220Aの一次巻線の中間タップ221cに接続されている。トランス204の二次巻線204bの両端間には抵抗器205が並列に接続され、トランス204の二次巻線204b両端は全波整流回路206の入力端に接続され、全波整流回路206から出力される整流された電圧は駆動制御回路207に入力されている。
【００３６】
インバータトランス220Aの第１二次巻線222の両端間にはランプ131が接続され、第２二次巻線223の両端間にはランプ132が接続されている。
【００３７】
また、駆動制御回路207は各ＦＥＴ201,202のゲートに対して制御信号を出力して各ＦＥＴ201,202をスイッチング動作させてインバータトランス220Aの一次巻線221a,221bの通電方向を所定周期で反転させ、インバータトランス220Aの二次巻線222,223に高電圧の交流電圧を発生させる。さらに、駆動制御回路207には全波整流回路206からから出力される電圧が入力されている。この電圧は一次巻線221a,221bを流れる電流に比例して変化するものであり、また、ランプ131,132に流れるランプ電流すなわち第１及び第２二次巻線222,223に流れる電流は一次巻線221a,221bに流れる電流に対応して変化するので、駆動制御回路207は全波整流回路206から出力される電圧の値に基づいて各ＦＥＴ201,202の動作を制御してトランス220Aの二次巻線222,223から発生する電力すなわちランプ電流を制御する。これにより、ランプ131,132の輝度調整が行われる。
【００３８】
上記の実施例３におけるランプ点灯装置100Cは、インバータトランス220Aの一次巻線221a,221bに流れる電流をトランス204及び抵抗器205によって電圧に変換し、この電圧の値によって一次巻線221a,221bに流れる電流値を検出し、この電流値によりインバータトランス220Aの二次巻線222,223に流れる電流の値を判定してランプ電流を制御するので、簡易な回路を用いることができると共に高価な高耐圧の部品を使用する必要がないため、コストの低減を図ることができる。
【実施例４】
【００３９】
図４は実施例４のランプ点灯装置を示す回路図である。図において、前述した実施例３と同一構成部分は同一符号をもって表しその説明を省略する。また、実施例４と実施例３との相違点は、実施例４では実施例３における全波整流回路206に代えてダイオード208を用いた半波整流回路としたことである。すなわち、実施例４のランプ点灯装置100Dにおいては、トランス204の二次巻線204bの両端間には抵抗器205が並列に接続され、トランス204の二次巻線204bの他端が接地端子102に接続され、一端はダイオード208のアノードに接続され、ダイオード208のカソードから出力される半波整流された電圧が駆動制御回路207に入力されている。
【００４０】
ダイオード208のカソードから駆動制御回路207に入力される電圧はインバータトランス220Aの一次巻線221a,221bを流れる電流に比例して変化するものであり、また、ランプ131,132に流れるランプ電流すなわち第１及び第２二次巻線222,223に流れる電流は一次巻線221a,221bに流れる電流に対応して変化するので、駆動制御回路207はダイオード208のカソードから出力される電圧に基づいて各ＦＥＴ201,202の動作を制御してトランス220Aの二次巻線222,223から発生する電力すなわちランプ電流を制御する。これにより、ランプ131,132の輝度調整が行われる。
【００４１】
上記の実施例４におけるランプ点灯装置100Dは、インバータトランス220Aの一次巻線221a,221bに流れる電流をトランス204及び抵抗器205によって電圧に変換し、この電圧の値によって一次巻線221a,221bに流れる電流値を検出し、この電流値によりインバータトランス220Aの二次巻線222,223に流れる電流の値を判定してランプ電流を制御するので、簡易な回路を用いることができると共に高価な高耐圧の部品を使用する必要がないため、コストの低減を図ることができる。
【００４２】
次に、本発明の第２実施形態を説明する
図５乃至図８は本発明の第２実施形態における４つの実施例のランプ点灯装置を示す回路図であり、第２実施形態においては３次巻線を有するインバータトランスを設け、この三次巻線の出力電圧によって二次巻線に流れる電流の値すなわちランプ電流の値を判定してランプの輝度を調整するようにしたものである。
【実施例５】
【００４３】
図５は実施例５のランプ点灯装置を示す回路図である。図において、100Eはランプ点灯装置で、４つのＦＥＴ111〜114と、コンデンサ115、インバータトランス210B、ダイオードブリッジからなる全波整流回路119、駆動制御回路121、ランプ131,132とから構成され、フルブリッジのインバータ回路を備えている。ランプ131,132としては、例えば、冷陰極管（Cold Cathode Fluorescent Lamp-CCFL）が用いられる。
【００４４】
ＦＥＴ111のドレインは入力端子101とＦＥＴ113のドレインに接続され、ＦＥＴ111のソースはＦＥＴ112のドレインに接続されると共にコンデンサ115を介してトランス210Bの一次巻線211の一端に接続され、ＦＥＴ112のソースは接地端子102に接続されている。
【００４５】
また、ＦＥＴ113のドレインは入力端子101に接続され、ＦＥＴ113のソースはＦＥＴ114のドレインに接続されると共にインバータトランス210Bの一次巻線211の他端に接続されている。
【００４６】
インバータトランス210Bの第１二次巻線212の両端間にはランプ131が接続され、第２二次巻線213の両端間にはランプ132が接続されている。
【００４７】
さらに、インバータトランス210Bの三次巻線214の両端は全波整流回路119の入力端に接続され、全波整流回路119から出力される整流された電圧は駆動制御回路121に入力されている。
【００４８】
また、入力端子101と接地端子102との間には直流電圧Ｖinが印加され、駆動制御回路121は各ＦＥＴ111〜114のゲートに対して制御信号を出力して各ＦＥＴ111〜114をスイッチング動作させてインバータトランス210Bの一次巻線211の通電方向を所定周期で反転させ、インバータトランス210Bの二次巻線212,213に高電圧の交流電圧を発生させると共に三次巻線214に所定の低電圧を発生させる。さらに、駆動制御回路121には全波整流回路119からから出力される電圧が入力されている。この電圧は一次巻線211を流れる電流に比例して変化するものであり、また、ランプ131,132に流れるランプ電流すなわち第１及び第２二次巻線212,213に流れる電流は一次巻線211に流れる電流に対応して変化するので、駆動制御回路121は全波整流回路119から出力される電圧の値に基づいて各ＦＥＴ111〜114の動作を制御してトランス210Bの二次巻線212,213から発生する電力すなわちランプ電流を制御する。これにより、ランプ131,132の輝度調整が行われる。
【００４９】
上記の実施例５におけるランプ点灯装置100Eは、インバータトランス210Bの一次巻線211に流れる電流の値を三次巻線214に発生する電圧の値によって検出し、この電圧の値によって一次巻線211に流れる電流値を検出し、この電流値によりインバータトランス210Bの二次巻線212,213に流れる電流の値を判定してランプ電流を制御するので、簡易な回路を用いることができると共に高価な高耐圧の部品を使用する必要がないため、コストの低減を図ることができる。
【実施例６】
【００５０】
図６は実施例６のランプ点灯装置を示す回路図である。図において、前述した実施例５と同一構成部分は同一符号をもって表しその説明を省略する。また、実施例６と実施例５との相違点は、実施例６では実施例５における全波整流回路119に代えてダイオード122を用いた半波整流回路としたことである。すなわち、実施例６のランプ点灯装置100Fにおいては、インバータトランス210Bの三次巻線214の他端が接地端子102に接続され、一端はダイオード122のアノードに接続され、ダイオード122のカソードから出力される半波整流された電圧が駆動制御回路121に入力されている。
【００５１】
ダイオード122のカソードから駆動制御回路121に入力される電圧は一次巻線211を流れる電流に比例して変化するものであり、また、ランプ131,132に流れるランプ電流すなわち第１及び第２二次巻線212,213に流れる電流は一次巻線211に流れる電流に対応して変化するので、駆動制御回路121はダイオード122のカソードから出力される電圧に基づいて各ＦＥＴ111〜114の動作を制御してトランス210Bの二次巻線212,213から発生する電力すなわちランプ電流を制御する。これにより、ランプ131,132の輝度調整が行われる。
【００５２】
上記の実施例６におけるランプ点灯装置100Fは、インバータトランス210Bの一次巻線211に流れる電流の値を三次巻線214に発生する電圧の値によって検出し、この電流値によりインバータトランス210Bの二次巻線212,213に流れる電流の値を判定してランプ電流を制御するので、簡易な回路を用いることができると共に高価な高耐圧の部品を使用する必要がないため、コストの低減を図ることができる。
【実施例７】
【００５３】
図７は実施例７のランプ点灯装置を示す回路図である。図において、100Gはランプ点灯装置で、２つのＦＥＴ201,202と、インバータトランス220B、ダイオードブリッジからなる全波整流回路206、駆動制御回路207、ランプ131,132とから構成され、プッシュプルのインバータ回路を備えている。ランプ131,132としては、例えば、冷陰極管（Cold Cathode Fluorescent Lamp-CCFL）が用いられる。
【００５４】
また、本実施例で使用するインバータトランス220Bは一次巻線に中間タップ221cを有し一端側一次巻線221aと他端側一次巻線221bに等分されている。
【００５５】
ＦＥＴ201のドレインはインバータトランス220Bの一次巻線の一端に接続され、ＦＥＴ201のソースは接地端子102に接続されている。
【００５６】
ＦＥＴ202のドレインはインバータトランス220Bの一次巻線の他端に接続され、ソースは接地端子102に接続されている。
【００５７】
また、インバータトランス220Bの一次巻線の中間タップ221cは、入力端子101に接続されている。
【００５８】
さらに、インバータトランス220Bの三次巻線224の両端は全波整流回路206の入力端に接続され、全波整流回路206から出力される整流された電圧は駆動制御回路207に入力されている。
【００５９】
インバータトランス220Bの第１二次巻線222の両端間にはランプ131が接続され、第２二次巻線223の両端間にはランプ132が接続されている。
【００６０】
また、駆動制御回路207は各ＦＥＴ201,202のゲートに対して制御信号を出力して各ＦＥＴ201,202をスイッチング動作させてインバータトランス220Bの一次巻線221a,221bの通電方向を所定周期で反転させ、インバータトランス220Bの二次巻線222,223に高電圧の交流電圧を発生させると共に三次巻線224に所定の低電圧を発生させる。さらに、駆動制御回路207には全波整流回路206から出力される電圧が入力されている。この電圧は一次巻線221a,221bを流れる電流に比例して変化するものであり、また、ランプ131,132に流れるランプ電流すなわち第１及び第２二次巻線222,223に流れる電流は一次巻線221a,221bに流れる電流に対応して変化するので、駆動制御回路207は全波整流回路206から出力される電圧に基づいて各ＦＥＴ201,202の動作を制御してインバータトランス220Bの二次巻線222,223から発生する電力すなわちランプ電流を制御する。これにより、ランプ131,132の輝度調整が行われる。
【００６１】
上記の実施例７におけるランプ点灯装置100Gは、インバータトランス220Bの一次巻線221a,221bに流れる電流の値を三次巻線224に発生する電圧の値によって検出し、この電流値によりインバータトランス220Bの二次巻線222,223に流れる電流の値を判定してランプ電流を制御するので、簡易な回路を用いることができると共に高価な高耐圧の部品を使用する必要がないため、コストの低減を図ることができる。
【実施例８】
【００６２】
図８は実施例８のランプ点灯装置を示す回路図である。図において、前述した実施例７と同一構成部分は同一符号をもって表しその説明を省略する。また、実施例８と実施例７との相違点は、実施例８では実施例７における全波整流回路206に代えてダイオード208を用いた半波整流回路としたことである。すなわち、実施例８のランプ点灯装置100Hにおいては、インバータトランス210Bの三次巻線224の他端が接地端子102に接続され、一端はダイオード208のアノードに接続され、ダイオード208のカソードから出力される半波整流された電圧が駆動制御回路207に入力されている。
【００６３】
ダイオード208のカソードから駆動制御回路207に入力される電圧は一次巻線211a,211bを流れる電流に比例して変化するものであり、また、ランプ131,132に流れるランプ電流すなわち第１及び第２二次巻線222,223に流れる電流は一次巻線221a,221bに流れる電流に対応して変化するので、駆動制御回路207はダイオード208のカソードから出力される電圧に基づいて各ＦＥＴ201,202の動作を制御してトランス220Bの二次巻線222,223から発生する電力すなわちランプ電流を制御する。これにより、ランプ131,132の輝度調整が行われる。
【００６４】
上記の実施例８におけるランプ点灯装置100Hは、インバータトランス220Bの一次巻線221a,221bに流れる電流の値を三次巻線224に発生する電圧の値によって検出し、この電流値によりインバータトランス220Bの二次巻線222,223に流れる電流の値を判定してランプ電流を制御するので、簡易な回路を用いることができると共に高価な高耐圧の部品を使用する必要がないため、コストの低減を図ることができる。
【実施例９】
【００６５】
次に、上記各実施例に共通して使用可能なインバータトランスの一例を説明する。図９乃至図１３はインバータトランスを示す図で、図９は上面図、図１０は底面図、図１１は図９におけるＡ−Ａ線矢視方向の側面図、図１２は図９におけるＢ−Ｂ線矢視方向の側面図、図１３は回路図である。
【００６６】
図において、300はインバータトランスで、磁性体からなるコア301と、絶縁体からなるボビン302を備え、ボビン302に一次巻線乃至三次巻線となる導線303〜305がコイルとして巻回されている。さらに、ボビン302には各巻線に接続された外部端子311〜320が設けられている。
【００６７】
また、インバータトランス300は、図１３に示すように、一次巻線321a,321bとなる２つのコイルが直列接続され、その一端が外部端子316に接続され、他端が外部端子311に接続され、２つのコイルの接続点すなわち一次巻線321a,321bの接続点が中間タップとして外部端子312,315に接続されている。
【００６８】
さらに、第１二次巻線322の一端は外部端子320に接続され、他端は外部端子319に接続されている。第２二次巻線323の一端は外部端子317に接続され、他端は外部端子318に接続されている。三次巻線324の一端は外部端子313に接続され、他端は外部端子314に接続されている。
【００６９】
上記構成のインバータトランス300は、前述した実施例１乃至実施例８のフルブリッジ型インバータ回路とプッシュプル型インバータ回路の何れにも使用することができる。
【００７０】
さらに、ハーフブリッジ回路、スイッチング素子一個のタイプなど、インバータトランスとスイッチング回路により直流電源電圧を交流電圧に変換するタイプのインバータ回路であれば何れにも使用できる。
【図面の簡単な説明】
【００７１】
【図１】本発明の実施例１のランプ点灯装置を示す回路図
【図２】本発明の実施例２のランプ点灯装置を示す回路図
【図３】本発明の実施例３のランプ点灯装置を示す回路図
【図４】本発明の実施例４のランプ点灯装置を示す回路図
【図５】本発明の実施例５のランプ点灯装置を示す回路図
【図６】本発明の実施例６のランプ点灯装置を示す回路図
【図７】本発明の実施例７のランプ点灯装置を示す回路図
【図８】本発明の実施例８のランプ点灯装置を示す回路図
【図９】本発明の実施例９のインバータトランスを示す上面図
【図１０】本発明の実施例９のインバータトランスを示す底面図
【図１１】図９におけるＡ−Ａ線矢視方向の側面図
【図１２】図９におけるＢ−Ｂ線矢視方向の側面図
【図１３】本発明の実施例９のインバータトランスを示す回路図
【図１４】第１従来例のランプ点灯装置を示す回路図
【図１５】第２従来例のランプ点灯装置を示す回路図
【符号の説明】
【００７２】
100A〜100H…ランプ点灯装置、101…入力端子、102…接地端子、111〜114…ＦＥＴ、115…コンデンサ、117…トランス、118…抵抗器、119…全波整流回路、121…駆動制御回路、122…ダイオード、131,132…ランプ、201,201…ＦＥＴ、204…トランス、205…抵抗器、206…全波整流回路、207…駆動制御回路、208…ダイオード、210A,210B,220A,220B…インバータトランス、211…一次巻線、212,213…二次巻線、221a,221b…一次巻線、222,223…二次巻線、224…三次巻線、300…インバータトランス、301…コア、302…ボビン、303〜305…導線、311〜320…外部端子、321a,321b…一次巻線、322,323…二次巻線、324…三次巻線。
【図１】
2007280796.tif 000003
【図２】
2007280796.tif 000004
【図３】
2007280796.tif 000005
【図４】
2007280796.tif 000006
【図５】
2007280796.tif 000007
【図６】
2007280796.tif 000008
【図７】
2007280796.tif 000009
【図８】
2007280796.tif 000010
【図９】
2007280796.tif 000011
【図１０】
2007280796.tif 000012
【図１１】
2007280796.tif 000013
【図１２】
2007280796.tif 000014
【図１３】
2007280796.tif 000015
【図１４】
2007280796.tif 000016
【図１５】
2007280796.tif 000017